(57)【特許請求の範囲】
【請求項１】
紐状食品を包装するためのトレーであって、
このトレーの底面に、複数の直線状の凸リブを離隔状態で形成するにあたって、前記底面の中心から放射状に延びる前記凸リブと、これら放射状に延びる凸リブに交差する凸リブとを配置し、
前記底面の中心を、その周囲に位置する前記放射状に延びる凸リブに交差する凸リブの複数で囲むことにより、前記底面に中央載置部を形成し、
前記放射状に延びる凸リブの延長線上に、前記中央載置部を形成する前記放射状に延びる凸リブに交差する凸リブが配置されていることを特徴とする紐状食品包装用トレー。
【発明の詳細な説明】
【技術分野】
【０００１】
本発明は、佃煮昆布や明太子のような食品を包装するためのトレーに関し、特に合成樹脂シートを熱成形して得られる紐状食品包装用トレーに関するものである。
【背景技術】
【０００２】
佃煮昆布や明太子のような食品は、一度に大量に食されるものではないから、文字通り「小分け」して販売されているのが実情である。また、このような佃煮昆布や明太子のような食品を販売するにあたっては、合成樹脂シートを熱成形して得られ、衛生的で安価に提供されている食品包装用トレーが一般的に採用されている。
【０００３】
一方で、このような合成樹脂シートを熱成形して得られるトレーで、一度に大量に食されるものではない佃煮昆布や明太子のような食品を販売するにあたっては、運搬時や陳列時の振動等で、中身の食品がトレーの中で偏っては見栄えが悪いから、このトレーに対して食品がズレないようにする工夫が必要である。このような工夫をしたものとして、例えば特許文献１にて提案されているような「食品包装用容器、及び、容器製造方法」がある。
【０００４】
この特許文献１にて提案されている食品包装用容器は、「熱可塑性樹脂シートがトレー形状に熱成形されてなる食品包装用容器において、麺やせん切り野菜等の紐状の食品を収容させた際の見栄えの低下を抑制させること」を目的としてなされたもので、図５に示すように、「熱可塑性樹脂シートがトレー形状に熱成形されてなり、紐状の食品を収容させるための食品包装用容器であって、前記食品が載置される容器底面部には、前記食品の横滑りを防止するための突起が形成されていることを特徴とする」ものである。
【０００５】
ところで、このような「麺やせん切り野菜等の紐状の食品」を収納するトレーの場合、これらの食品は、箸やフォーク（以下ではこれらを纏めてカトラリーという）で取り出そうとした場合、トレー自体は一般的に浅いものであるからカトラリーの先端がトレー外にはみ出しやすく、これに伴って佃煮昆布のような紐状食品がトレー外に零れ出してしまって、なかなか取り出せなくなるということが多く発生する。
【０００６】
そこで、出願人は、特許文献２によって、カトラリーを使用する場合の食品の零れ出しを防止できるようにした「案内部を有する容器」を提案したのである。
【先行技術文献】
【特許文献】
【０００７】
【特許文献１】特開２０１２−２０１３９４号公報  、要約、代表図
【特許文献２】特許第５３４２１９６号  掲載公報、図２Ａ
【発明の概要】
【発明が解決しようとする課題】
【０００８】
この特許文献２にて提案した「案内部を有する容器」は、図６にも示すように、「この容器１０の底壁１１に、互いに平行な複数の波状リブ１１ａと、これらの各波状リブ１１ａの側部にて、当該波状リブ１１ａ上を移動するカトラリー３０の先端を案内する複数の長尺な案内部１７とを形成するとともに、これらの各案内部１７が波状リブ１１ａの平行方向に沿った面を有するものとした」ものであるが、「案内部１７」は、「波状リブ１１ａ上を移動するカトラリー３０の先端を案内する複数の長尺なもの」である。
【０００９】
このため、特許文献２の「案内部１７」は、カトラリーの先端をトレー内の思う場所で簡単に止めることができないものとなっている。つまり、カトラリーで食品を掬おうとするとき、その先端は思い余ってトレーの外側に飛び出そうとし、これに伴って、麺やせん切り野菜、あるいは佃煮昆布のような紐状食品がトレー外に零れ出してしまうことが十分あり得る。
【００１０】
そこで、本発明者等は、
（１）底の浅いトレーに収納した、麺やせん切り野菜、あるいは佃煮昆布のような紐状食品を、運搬時や展示時の振動によって容易にはズレないようにできること
（２）底の浅いトレーに収納した、麺やせん切り野菜、あるいは佃煮昆布のような紐状食品を箸等のカトラリーを使用して取り出す際に、食品がトレー外に零れ出してしまわないようにすべく、カトラリーの案内と停止位置の決定が行えるようにすること
が可能なトレーとするにはどうしたらよいか、について種々検討を重ねてきた結果、本発明を完成したのである。
【００１１】
すなわち、本発明の目的とするところは、食品のズレ防止が行えて、カトラリーの案内と停止が簡単に行えるようにすることのできる紐状食品包装用トレーを提供することにある。
【課題を解決するための手段】
【００１２】
以上の課題を解決するために、まず、本発明の採った手段は、後述する最良形態の説明中で使用する符号を付して説明すると、
「紐状食品を包装するためのトレー１０であって、
このトレー１０の底面１１に、直線状の凸リブ１２を、互いに交差し、かつ、離隔した状態で複数形成し、
底面１１の中心を、その周囲に位置する凸リブ１２の複数で囲むことにより、底面１１に中央載置部１１aを形成し、
各凸リブ１２は、頂面の左右に収納された食品が入り得る隙間が存在する扁平な半円柱形状であることを特徴とする紐状食品包装用トレー１０」
である。
【００１３】
この本発明に係る紐状食品包装用トレー１０では、その底面１１に、直線状の凸リブ１２を、互いに交差し、かつ、離隔した状態で複数形成したものであるが、これらの凸リブ１２が次のような機能を発揮するのである。
【００１４】
まず、各凸リブ１２は、文字通り底面１１から上方に突出したものであるから、当該紐状食品包装用トレー１０内に麺やせん切り野菜、あるいは佃煮昆布のような紐状食品を収納すると、これらの食品は各凸リブ１２によって浮かせられた状態となり、各食品全体が底面
１１上にベッタリとくっついた状態にはならない。つまり、収納された食品は、各凸リブ１２上にフンワリと乗せられた状態となって形崩れしにくくなっており、かつ、底面１１からの突起物である各凸リブ１２と収納した食品との間には十分な抵抗が発生するから、運搬時や展示時の振動によって容易にはズレないことになる。
【００１５】
以上のことから、当該紐状食品包装用トレー１０は、各凸リブ１２の存在によって、
（１）底の浅いトレーに収納した、麺やせん切り野菜、あるいは佃煮昆布のような紐状食品を、運搬時や展示時の振動によって容易にはズレないようにできる
ものとなっているのである。
【００１６】
また、この紐状食品包装用トレー１０においては、上述したように、収納された食品と、各凸リブ１２との間には空間が確保されていて、カトラリー２０の挿入を良好に行える、換言すれば良好な「箸通り」ができる状態になっているのである。例えば、図１の（ｂ）中に示したカトラリー２０の内、図示下側のカトラリー２０（箸の片方）におけるように、１つの凸リブ１２の側面に沿って案内されることになる。この凸リブ１２と収納された食品との間には、箸通りを十分にする空間が存在しているからである。
【００１７】
そして、この紐状食品包装用トレー１０における各凸リブ１２については、図１の（ａ）または図４に示すように、一つ一つが直線状かつ断続的に形成されていて、互いに交差し離隔した状態で複数形成してあるから、例えば、図１の（ｂ）中に示したカトラリー２０の内、図示上側のカトラリー２０（箸のもう一方）におけるように、図示下側のカトラリー２０（箸の片方）を案内していた凸リブ１２と交差する凸リブ１２に当接する、つまり箸の停止が行われることになる。
【００１８】
以上のことから、当該紐状食品包装用トレー１０は、互いに交差し離隔した状態で複数形成した各凸リブ１２の存在によって、
（２）底の浅いトレーに収納した、麺やせん切り野菜、あるいは佃煮昆布のような紐状食品を箸等のカトラリーを使用して取り出す際に、食品がトレー外に零れ出してしまわないようにすべく、カトラリーの案内と停止位置の決定が行える
ものとなっているのである。
【００１９】
上記課題を解決するために、請求項１に係る発明の採った手段は、実施例中で使用する符号を付して説明すると、
「紐状食品を包装するためのトレー１０であって、
このトレー１０の底面１１に、複数の直線状の凸リブ１２を離隔状態で形成するにあたって、底面１１の中心から放射状に延びる凸リブ１２と、これら放射状に延びる凸リブ１２に交差する凸リブ１２とを配置し、
底面１１の中心を、その周囲に位置する放射状に延びる凸リブ１２に交差する凸リブ１２の複数で囲むことにより、底面１１に中央載置部１１ａを形成し、
放射状に延びる凸リブ１２の延長線上に、中央載置部１１ａを形成する放射状に延びる凸リブ１２に交差する凸リブ１２が配置されていることを特徴とする紐状食品包装用トレー１０」
である。
【００２０】
この請求項１に係る紐状食品包装用トレー１０は、その構成の大部分を上記本発明のそれと共通にするものではあるが、各凸リブ１２については、底面１１の中心から放射状に延びる凸リブ１２と、これら放射状に延びる凸リブ１２に交差する凸リブ１２との２種類とするようにしたことが、本発明の紐状食品包装用トレー１０とは異なっている点である。従って、この請求項１に係る紐状食品包装用トレー１０は、図４に示すものを対象としていて、本発明の凸リブ１２態様を全体的に４５度回転させた状態を呈している。
【００２１】
この請求項１の後述する実施例に係る紐状食品包装用トレー１０では、図４に示すように、底面１１の中心から放射状に延びる複数の凸リブ１２は、底面１１の周囲に形成してあり、これら放射状に伸びる凸リブ１２に交差する凸リブ１２は、底面１１の中心寄りに形成してある。これらの凸リブ１２は、上記本発明の紐状食品包装用トレー１０におけるのと同様、収納した食品のズレ防止が行えることは勿論、各凸リブ１２による箸通り（カトラリー２０の通り）を良好にするとともに、その底面１１上での停止も行えるのである。
【００２２】
また、図４に示す実施例の場合には、例えば佃煮昆布のような紐状食品を対象としたときに、カトラリー２０を使用した収納時の均しや、取り出しを良好に行える。まず、食品の収納は、底面１１の中心寄りに形成した各凸リブ１２によって囲まれた中央部分に纏めて置かれるが、これらの凸リブ１２はその纏め収納位置を明示するものとなっている。その後に、底面１１の中央部に置かれた食品をカトラリー２０等を使用して底面１１全面に散らして均すのであるが、このときに、底面１１の中心から放射状に延びる複数の凸リブ１２がカトラリー２０の案内役を果たし、食品は、外に漏れ出ることなく底面１１上にきれいに分散できることになる。逆に、均された食品をカトラリー２０によって取り出す場合には、各凸リブ１２がカトラリー２０の案内役と、底面１１上での停止役を果たすのであるから、食品を底面１１から漏れ出すことなく取り出せるのである。
【００２３】
特に、図４に示す実施例の紐状食品包装用トレー１０において、佃煮昆布のような紐状食品を取り出すときに、底面１１の中心近傍に位置する各凸リブ１２によって囲まれている食品の場合にはこれらの凸リブ１２がストッパの役目を果たすし、周囲に位置する各凸リブ１２によるカトラリー２０の案内機能を利用することによって、周囲の食品を底面１１の中央部に容易に集めることができることになる。
【００２４】
逆に、各凸リブ１２が図４に示す実施例の紐状食品包装用トレー１０の反対形態、つまり放射状になっている凸リブ１２が中心部にあり、これらの凸リブ１２の外側にこれらと交差する凸リブ１２を形成した場合には、放射状の各凸リブ１２が、食品の周囲の散らしや、周囲の食品の集めを、その案内機能によって、食品の漏れ出しを防止しながら行えることになる。一方で、放射状になっている各凸リブ１２に交差する凸リブ１２は、底面１１上の周囲に位置することになるが、この場合も、周囲に位置している各凸リブ１２が、食品の漏れ出しやカトラリー２０の飛び出しを防止することになることは言うまでもない。
【００２５】
以上のことから、この請求項１に係る紐状食品包装用トレー１０も、
（１）底の浅いトレーに収納した、麺やせん切り野菜、あるいは佃煮昆布のような紐状食品を、運搬時や展示時の振動によって容易にはズレないようにできる
（２）底の浅いトレーに収納した、麺やせん切り野菜、あるいは佃煮昆布のような紐状食品を箸等のカトラリーを使用して取り出す際に、食品がトレー外に零れ出してしまわないようにすべく、カトラリーの案内と停止位置の決定が行える
ものとなっているのである。
【００２６】
また、上記課題を解決するために、本発明又は請求項１に係る発明の採った手段は、上記紐状食品包装用トレー１０について、
「底面１１の中心を、その周囲に位置する凸リブ１２の複数で囲むことにより、底面１１に中央載置部１１ａを形成したこと」
である。
【００２７】
この本発明又は請求項１に係る紐状食品包装用トレー１０は、図４に示すものを示すもので、底面１１の中心を、その周囲に位置する凸リブ１２の複数で囲むことにより、底面１１に中央載置部１１ａを形成したから、この中央載置部１１ａに佃煮昆布のような紐状食品を載置してここから周囲に散らしたり、あるいは、この中央載置部１１ａに少なくなった食品を集めたりする作業を、食品を周囲に漏れ出させることなく行えることになる。
【００２８】
従って、この本発明又は請求項１に係る紐状食品包装用トレー１０は、上記本発明のそれと同様な機能を発揮する他、食品の底面１１上での散らしや、周囲の食品の中央載置部１１ａへの集めが効率的に行えるものとなっているのである。
【００２９】
さらに、上記課題を解決するために、本発明の採った手段は、上記紐状食品包装用トレー１０について、
「各凸リブ１２は、上方に凸となる円弧状の頂面１２ａと、長軸方向の両側に位置して、頂面１２ａの端部に向けて窄まる方向に傾斜する側面１２ｂとを備えたこと」
である。
【００３０】
この紐状食品包装用トレー１０では、その各凸リブ１２について、図３の（ａ）〜（ｃ）に示すように、上方に凸となる円弧状の頂面１２ａと、長軸方向の両側に位置して、頂面１２ａの端部に向けて窄まる方向に傾斜する側面１２ｂとを備えたものとしたものである。これにより、合成樹脂シートを使用した熱成形によって各凸リブ１２を底面１１上に形成するにあたって、その十分な寸法精度を確保することができるのであり、型抜きも容易に行えることになるのである。
【００３１】
また、直線状の各凸リブ１２は、図３の（ｂ）に示すように、上方に凸となる円弧状の頂面１２ａを有しているのであるから、この頂面１２ａの左右には隙間が存在する。この隙間には、当該紐状食品包装用トレー１０の底面１１上に収納された食品が入り得るのであり、各凸リブ１２の存在によって収納容積が少なくなるのを防止している。さらに、この頂面１２ａ上面に形成される隙間に食品が収納されたとき、当該頂面１２ａの頂き（一番高いところ）部分の食品の層を薄くするから、食品が収納されていても、当該凸リブ１２の存在は視認できることになり、当該凸リブ１２を利用したカトラリー２０の案内や停止位置の確認が行える。
【００３２】
さらに、直線状の各凸リブ１２は、図３の（ａ）及び（ｃ）に示すように、頂面１２ａの端部に向けて窄まる方向に傾斜する側面１２ｂを備えているから、これらの側面１２ｂによって、各凸リブ１２自体の、また当該紐状食品包装用トレー１０全体の剛性を高くしている。これらの側面１２ｂは、底面１１上に食品を収納する際の、各凸リブ１２の根本付近への案内を行うことができるから、食品の効率的な収納をも行えるようにするものである。
【００３３】
従って、この紐状食品包装用トレー１０は、上記発明のそれと同様な機能を発揮する他、各凸リブ１２の形状によって、当該紐状食品包装用トレー１０自体の剛性を高め、食品収納時の案内をも行い、食品の効率的な収納が行えるものとなっている。
【発明の効果】
【００３４】
以上説明した通り、本発明においては、
「紐状食品を包装するためのトレー１０であって、
このトレー１０の底面１１に、直線状の凸リブ１２を、互いに交差し、かつ、離隔した状態で複数形成し、
底面１１の中心を、その周囲に位置する凸リブ１２の複数で囲むことにより、底面１１に中央載置部１１aを形成し、
各凸リブ１２は、頂面の左右に収納された食品が入り得る隙間が存在する扁平な半円柱形状であること」
あるいは、
「紐状食品を包装するためのトレー１０であって、
このトレー１０の底面１１に、複数の直線状の凸リブ１２を離隔状態で形成するにあたって、底面１１の中心から放射状に延びる凸リブ１２と、これら放射状に延びる凸リブ１２に交差する凸リブ１２とを配置し、
底面１１の中心を、その周囲に位置する凸リブ１２の複数で囲むことにより、底面１１に中央載置部１１ａを形成し、
放射状に延びる凸リブ１２の延長線上に、中央載置部１１ａを形成する凸リブ１２が配置されていること」
にその構成上の特徴があり、これにより、食品のズレ防止が行えて、カトラリー２０の案内と停止が簡単に行える紐状食品包装用トレー１０を提供することができるのである。
【図面の簡単な説明】
【００３５】
【図１】本発明の第１実施例に係る紐状食品包装用トレー１０を示すもので、（ａ）は平面図、（ｂ）は（ａ）中の１−１線に沿って見た断面図である。
【図２】同紐状食品包装用トレー１０の各部を拡大して示すもので、（ａ）は図１の（ａ）中の２−２線に沿って見た部分拡大断面図、（ｂ）は図１の（ａ）中の３−３線に沿って見た部分拡大断面図、（ｃ）は図１の（ｂ）中の４−４線部の部分拡大断面図である。
【図３】同紐状食品包装用トレー１０において形成されている凸リブ１２を示すもので、（ａ）は部分拡大平面図、（ｂ）は凸リブ１２を長軸方向に沿って切断したときの縦断面図、（ｃ）は（ｂ）の直交方向の縦断面図である。
【図４】本発明の第２実施例に係る紐状食品包装用トレー１０を示すもので、（ａ）は平面図、（ｂ）は右半分を側面とした断面図である。
【図５】特許文献１の技術を示す斜視図である。
【図６】特許文献２の技術を示す平面図である。
【発明を実施するための形態】
【００３６】
次に、上記各請求項に係る発明を、図面に示す実施の形態である紐状食品包装用トレー１０について説明するが、この実施形態の紐状食品包装用トレー１０には、図１〜図３に示した第１実施例と、図４に示した第２実施例とがあるので、以下、各実施例順に説明することとする。
【００３７】
（第１実施例）
図１〜図３には、本発明の第１実施例に係る紐状食品包装用トレー１０が示してあるが、この紐状食品包装用トレー１０では、その底面１１から立ち上がる側壁の上端にフランジ１３が形成してあり、このフランジ１３には、収納した食品の保護を行うシールが熱溶着される。また、この紐状食品包装用トレー１０は、図１の（ａ）に示したように、平面形状を略正方形となるようにしているが、これに限るものではない。
【００３８】
また、この第１実施例に係る紐状食品包装用トレー１０は、後述する第２実施例に係る紐状食品包装用トレー１０もそうであるが、合成樹脂シートを熱成形（シート成形）することにより、大量にかつ安価に製造されるものである。なお、この紐状食品包装用トレー１０には、通常のブロッキング防止突起が形成されており、後述する凸リブ１２以外のリブも多数形成したものである。
【００３９】
そして、この第１実施例に係る紐状食品包装用トレー１０においては、図１の（ａ）に示したように、複数の直線状の凸リブ１２が、互いに離隔しながら交差状態となるように形成してある。各凸リブ１２は、直線状であることを除けば、その幅や長さには制限を受けないものである。そして、これら各凸リブ１２は、図３の（ａ）〜（ｃ）に示したように、上方に凸となる円弧状の頂面１２ａと、長軸方向の両側に位置して、頂面１２ａの端部に向けて窄まる方向に傾斜する側面１２ｂとを備えたものとしてあるが、薄く切り取ったかまぼこのような扁平な半円柱形状でもよい。
【００４０】
これら各凸リブ１２は、当該紐状食品包装用トレー１０の底面１１上に収納した食品のズレ防止と、図１の（ｂ）に示したように、箸等のカトラリー２０の案内及び停止位置決定を行うものであり、これらの機能を十分発生させることができるように配置してある。すなわち、この第１実施例における各凸リブ１２は、図１の（ａ）に示したように、当該トレー１０の底面１１に、直線状の凸リブ１２を、互いに交差し、かつ、離隔した状態で複数形成したのである。
【００４１】
また、この第１実施例に係る紐状食品包装用トレー１０では、図１の（ａ）に示したように、底面１１の中心を、その周囲に位置する凸リブ１２の複数で囲むことにより、底面１１に中央載置部１１ａを形成したものである。この中央載置部１１ａには、食品を纏めて収
納してから周囲に散らすことにより、食品の当該紐状食品包装用トレー１０への収納が行われるものであり、その際の食品の紐状食品包装用トレー１０外への漏れ出しを、当該中央載置部１１ａの周囲にある凸リブ１２によって防止するようにしている。
【００４２】
（第２実施例）
図４には、本発明の第２実施例である紐状食品包装用トレー１０が示してあるが、この紐状食品包装用トレー１０における上記第１実施例のそれとの根本的な違いは、複数の直線状の凸リブ１２を離隔状態で形成するにあたって、底面１１の中心から放射状に延びる凸リブ１２を存在させたことであり、これら放射状に延びる凸リブ１２に交差する凸リブ１２とを配置するようにしたことである。また、この第２実施例に係る紐状食品包装用トレー１０でも、底面１１の中心を、その周囲に位置する凸リブ１２の複数で囲むことにより、底面１１に中央載置部１１ａを形成したことは、上記第１実施例と共通する。
【００４３】
この第２実施例に係る紐状食品包装用トレー１０では、図４に示したように、底面１１の中心から放射状に延びる複数の凸リブ１２は、底面１１の周囲に形成してあり、これら放射状に伸びる凸リブ１２に交差する凸リブ１２は、底面１１の中心寄りに形成してある。これらの凸リブ１２は、収納した食品のズレ防止を行い、各凸リブ１２による箸通り（カトラリー２０の通り）を良好にし、その底面１１上での停止も行えることは勿論である。また、図４に示した第２実施例の場合には、例えば佃煮昆布のような紐状食品を対象としたときに、カトラリー２０を使用した収納時の均しや、取り出しを良好に行える。
【００４４】
特に、図４に示した第２実施例の紐状食品包装用トレー１０において、佃煮昆布のような紐状食品を取り出すときに、底面１１の中心近傍に位置する各凸リブ１２によって囲まれている食品の場合にはこれらの凸リブ１２がストッパの役目を果たすし、周囲に位置する各凸リブ１２によるカトラリー２０の案内機能を利用することによって、周囲の食品を底面１１の中央部に容易に集めることができることになる。
【００４５】
逆に、各凸リブ１２が図４に示す実施例の紐状食品包装用トレー１０の反対形態、つまり放射状になっている凸リブ１２が中心部にあり、これらの凸リブ１２の外側にこれらと交差する凸リブ１２を形成した場合には、放射状の各凸リブ１２が、食品の周囲の散らしや、周囲の食品の集めを、その案内機能によって、食品の漏れ出しを防止しながら行えることになる。一方で、放射状になっている各凸リブ１２に交差する凸リブ１２は、底面１１上の周囲に位置することになるが、この場合も、周囲に位置している各凸リブ１２が、食品の漏れ出しやカトラリー２０の飛び出しを防止することになることは言うまでもない。
【符号の説明】
【００４６】
１０    紐状食品包装用トレー
１１    底面
１１ａ  中央載置部
１２    凸リブ
１２ａ  頂面
１２ｂ  側面
１３    フランジ
２０    カトラリー
【図１】
0006725973.tif 000002
【図２】
0006725973.tif 000003
【図３】
0006725973.tif 000004
【図４】
0006725973.tif 000005
【図５】
0006725973.tif 000006
【図６】
0006725973.tif 000007